(57)【要約】【課題】防水性を高めるための構造が簡単で組立工程も簡単な平面状配線体の防水構造およびその形成方法を提供する。【解決手段】平面状配線体１の外周に防水部材２が取り付けられるとともに防水部材２がハウジング３の内部空間４に収容されてなる平面状配線体の防水構造において、防水部材２はゴム状の弾性材料により形成されるとともに平面状配線体１が挿通されるスリット５を有し、防水部材２は、そのスリット５に平面状配線体１が挿通されていない状態で、スリット５の幅が平面状配線体１の幅より狭く形成されているとともにスリット５の高さが平面状配線体１の厚さより高くなるように形成されており、防水部材２がハウジング３に収容された状態で、防水部材２が平面状配線体１の外周に密着しているものとする。【選択図】  図１
2004273410.tif 000002
【特許請求の範囲】
【請求項１】
平面状配線体の外周に防水部材が取り付けられるとともに該防水部材がハウジングに収容されてなる平面状配線体の防水構造において、
前記防水部材はゴム状の弾性材料により形成されるとともに前記平面状配線体が挿通されるスリットを有し、
前記防水部材は、該防水部材の前記スリットに前記平面状配線体が挿通されていない状態で、前記スリットの幅が前記平面状配線体の幅より狭く形成されているとともに前記スリットの高さが前記平面状配線体の厚さより高くなるように形成されており、
前記防水部材が前記ハウジングに収容された状態で、前記防水部材が前記平面状配線体の外周に密着していることを特徴とする平面状配線体の防水構造。
【請求項２】
前記スリットは、前記防水部材の内表面から突設した複数の突条により形成されていることを特徴とする、請求項１記載の平面状配線体の防水構造。
【請求項３】
前記ハウジングの内部空間の高さは、前記スリットに前記平面状配線体が挿通された状態の前記防水部材の高さより低く、かつ前記ハウジングの内部空間の断面積は、前記スリットに前記平面状配線体が挿通された状態の前記防水部材の断面積の８０％以上１００％未満であることを特徴とする、請求項１または請求項２記載の平面状配線体の防水構造。
【請求項４】
平面状配線体の外周に防水部材を取り付けて該防水部材をハウジングに収容する平面状配線体の防水構造の形成方法において、
前記防水部材はゴム状の弾性材料により形成されるとともに前記平面状配線体が挿通されるスリットを有するものであり、
前記防水部材は、該防水部材の前記スリットに前記平面状配線体が挿通されていない状態で、前記スリットの幅が前記平面状配線体の幅より狭く形成されているとともに前記スリットの高さが前記平面状配線体の厚さより高くなるように形成されており、
前記スリットの幅を前記平面状配線体の幅以上にした状態で前記スリットに前記平面状配線体を挿通し、しかる後に前記防水部材を前記ハウジングに収容して前記防水部材を前記平面状配線体の外周に密着させることを特徴とする平面状配線体の防水構造の形成方法。
【請求項５】
前記平面状配線体の先端部にはあらかじめ面取り加工が施されていることを特徴とする、請求項４記載の平面状配線体の防水構造の形成方法。
【請求項６】
前記スリットの幅を前記平面状配線体の幅以上にした状態で前記スリットに前記平面状配線体を挿通させる際に、前記防水部材内の雰囲気を加圧して前記スリットの幅を前記平面状配線体の幅以上に拡張することを特徴とする、請求項４記載の平面状配線体の防水構造の形成方法。
【請求項７】
前記防水部材内の雰囲気を加圧して前記スリットの幅を前記平面状配線体の幅以上に拡張する際に、前記スリットの高さ方向への拡張を抑制する部材を前記防水部材の外部に取り付けることを特徴とする、請求項６記載の平面状配線体の防水構造の形成方法。
【発明の詳細な説明】
【０００１】
【発明の属する技術分野】
本発明は、平面状配線体の接続部などに適用される防水構造に関する。
【０００２】
【従来の技術】
配線体を他の配線体と接続する際に、接続部内に水分が浸入しないようにするために、配線体に防水部材を取り付けて防水構造とすることが広く行われている。従来は、配線体として丸型の電線が一般に使用されていたが、最近では、フラットケーブルや回路基板などの平面状配線体も多く使用されるようになってきており、これらの平面状配線体についても、接続部等の防水を図るための防水構造が検討されてきている。
【０００３】
例えば、フラットケーブルに用いられる防水コネクタについては、フラットケーブルの端末部付近の外周を覆うようにシール部材を設けることが知られている（特許文献１参照）。また、防水コネクタを構成するフラットケーブルの端末部に複数の弾性ブロック体で構成されるシール部材を設けることも知られている（特許文献２参照）。
【０００４】
【特許文献１】特開平６−２０３９１０号公報（２ページ２欄２５行〜３ページ４欄２７行、図１〜図４参照）
【特許文献２】特開平１１−１６６２８号公報（３ページ３欄１５行〜７ページ１２欄４８行、図１〜図１６参照）
【０００５】
【発明が解決しようとする課題】
ところで、特許文献１に記載された防水コネクタにおいては、シール部材を圧縮するための押圧部材が必要であり、防水構造および組立工程が複雑となる問題点があった。また、特許文献２に記載された防水コネクタは、あくまでも組立工程を簡単にしたものであって、さらに防水性を高めることについては具体的に言及されていない。
【０００６】
そこで、本発明では、防水性を高めるための構造が簡単で組立工程も簡単な平面状配線体の防水構造およびその形成方法を提供することを目的とする。
【０００７】
【課題を解決するための手段】
請求項１の発明は、平面状配線体の外周に防水部材が取り付けられるとともに該防水部材がハウジングに収容されてなる平面状配線体の防水構造において、前記防水部材はゴム状の弾性材料により形成されるとともに前記平面状配線体が挿通されるスリットを有し、前記防水部材は、該防水部材の前記スリットに前記平面状配線体が挿通されていない状態で、前記スリットの幅が前記平面状配線体の幅より狭く形成されているとともに前記スリットの高さが前記平面状配線体の厚さより高くなるように形成されており、前記防水部材が前記ハウジングに収容された状態で、前記防水部材が前記平面状配線体の外周に密着していることを特徴とする。
【０００８】
請求項２の発明は、請求項１の発明において、前記スリットは、前記防水部材の内表面から突設した複数の突条により形成されていることを特徴とする。
【０００９】
請求項３の発明は、請求項１の発明において、前記ハウジングの内部空間の高さは、前記スリットに前記平面状配線体が挿通された状態の前記防水部材の高さより低く、かつ前記ハウジングの内部空間の断面積は、前記スリットに前記平面状配線体が挿通された状態の前記防水部材の断面積の８０％以上１００％未満であることを特徴とする。
【００１０】
請求項４の発明は、平面状配線体の外周に防水部材を取り付けて該防水部材をハウジングに収容する平面状配線体の防水構造の形成方法において、前記防水部材はゴム状の弾性材料により形成されるとともに前記平面状配線体が挿通されるスリットを有するものであり、前記防水部材は、該防水部材の前記スリットに前記平面状配線体が挿通されていない状態で、前記スリットの幅が前記平面状配線体の幅より狭く形成されているとともに前記スリットの高さが前記平面状配線体の厚さより高くなるように形成されており、前記スリットの幅を前記平面状配線体の幅以上にした状態で前記スリットに前記平面状配線体を挿通し、しかる後に前記防水部材を前記ハウジングに収容して前記防水部材を前記平面状配線体の外周に密着させることを特徴とする。
【００１１】
請求項５の発明は、請求項４の発明において、前記平面状配線体の先端部にはあらかじめ面取り加工が施されていることを特徴とする。
【００１２】
請求項６の発明は、請求項４の発明において、前記スリットの幅を前記平面状配線体の幅以上にした状態で前記スリットに前記平面状配線体を挿通させる際に、前記防水部材内の雰囲気を加圧して前記スリットの幅を前記平面状配線体の幅以上に拡張することを特徴とする。
【００１３】
請求項７の発明は、請求項６の発明において、前記防水部材内の雰囲気を加圧して前記スリットの幅を前記平面状配線体の幅以上に拡張する際に、前記スリットの高さ方向への拡張を抑制する部材を前記防水部材の外部に取り付けることを特徴とする。
【００１４】
すなわち、本発明の平面状配線体の防水構造は、上記構成を備えたことにより、平面状配線体に防水部材を簡単に取り付けることが可能で、かつ防水性能が十分な防水構造となる。
【００１５】
また、本発明の平面状配線体の防水構造の形成方法により、平面状配線体に防水性能が十分な防水構造を簡単に施すことができる。
【００１６】
【発明の実施の形態】
本発明の実施形態を、図面を用いて説明する。
【００１７】
図１は、本発明の実施形態である平面状配線体の防水構造の基本的一例を概略的に示す側断面図である。図１において、１は平面状配線体、２は平面状配線体１の外周に設けられた防水部材、３は防水部材２の外周に設けられたハウジングであり、防水部材２はハウジング３の内部空間４に収容されている。防水部材２は、ゴム状の弾性材料、例えば天然ゴム材料、合成ゴム材料（シリコンゴム等）、エラストマー等で形成されている。また、防水部材２には、平面状配線体１を挿通させるためのスリット５が形成されており、スリット５の前後端には平面状配線体１を挿通させる際の作業性を向上させるための面取り部２ａが設けられている。
【００１８】
図２は、平面状配線体に防水部材を取り付ける工程を説明するための図であって、（イ）は防水部材の正面図、（ロ）は平面状配線体の正面図、（ハ）は平面状配線体に防水部材が取り付けられた状態を示す正面図、（ニ）は平面状配線体に防水部材が取り付けられた状態を示す断面図である。図２において、６は平面状配線体１とスリット５との間の隙間である。
【００１９】
なお、図２（ハ）（ニ）において、防水部材２のスリット５に平面状配線体１が挿通された状態における隙間６は、その存在を許容することを示しているものであって、隙間６が存在する必要がないことはいうまでもない。防水部材２のスリット５に平面状配線体１を挿通させる作業を容易に行うことができる観点からは隙間６が若干存在していることが望ましい。
【００２０】
また、図２において、防水部材２のスリット５に平面状配線体１が挿通されていない状態で、スリット５の幅Ｗ１は平面状配線体１の幅Ｗ２より狭く、かつスリット５の高さｔ１は平面状配線体１の厚さｔ２より高くなっている。そして、スリット５に平面状配線体１が挿通されることにより、防水部材２は図面の左右方向に伸び、防水部材２の高さは、平面状配線体１が挿通される前の高さＨ１から、平面状配線体１が挿通された後の高さＨ２に変化する（Ｈ１＞Ｈ２）。
【００２１】
図３は、平面状配線体が挿通された防水部材をハウジングに収容する工程を説明するための図であって、（イ）は平面状配線体が挿通された防水部材の正面図、（ロ）はハウジングの正面図、（ハ）は防水部材がハウジングに収容された状態を示す正面図である。
【００２２】
図３（イ）は、前述の図２（ハ）と同様の図であり、防水部材２のスリット５に平面状配線体１が挿通された状態における隙間６の存在が許容されるが、防水部材２がハウジング３に収容された状態では、図３（ハ）に示されるように、防水部材２が平面状配線体１の外周に密着し、隙間６は存在しなくなる。このことにより、平面状配線体１の防水性能が満足される。
【００２３】
ここで、平面状配線体１の防水性能が満足されるためには、ハウジング３の内部空間４の高さＨ３は、スリット５に平面状配線体１が挿通された状態の防水部材２の高さＨ２より低く、かつハウジング３の内部空間４の断面積Ｓ２が、スリット５に平面状配線体１が挿通された状態の防水部材２の断面積Ｓ１の８０％以上１００％未満である必要がある。これらの条件を満たさない場合は、図３（ハ）においても図３（イ）と同様に、平面状配線体１と防水部材２との間に隙間が形成され、平面状配線体１の防水性能が低下することとなる。
【００２４】
また、防水部材２を形成するゴム状の弾性材料は、日本工業規格（ＪＩＳ  Ｋ６２５３）に記載されたデュロメータによる測定結果で硬度Ａ３０〜Ａ５０の範囲となるものが望ましい。
【００２５】
以上、本発明の実施形態の一例を説明したが、これはあくまでも基本的なものであって、例えば防水部材２の形状については、若干の変更が可能である。その例を応用例として以下に説明する。
【００２６】
図４は、本発明の実施形態に用いられる防水部材の応用例の一例を示す図であって、（イ）は側面図、（ロ）は正面図、（ハ）は側断面図である。
【００２７】
図４において、防水部材２の本体部２１の外表面２１ａ（以下、本体部外表面２１ａとする）には、複数の外周面突起２２が円周状に連続して配置されている。また、本体部２１の内表面２１ｂ（以下、本体部内表面２１ｂとする）には、複数の内周面突起２３がスリット５を形成するように配置されている。それ以外の事項については、前述の図２の説明と同様であるため、説明を省略する。
【００２８】
図５は、図４の防水部材に平面状配線体が挿通された状態を示す側断面図である。図５においても、図２（ハ）（ニ）および図３（イ）と同様、防水部材２のスリット５に平面状配線体１が挿通された状態における隙間６は、その存在を許容することを示しているものであって、隙間６が存在する必要がないことはいうまでもない。
【００２９】
図６は、図５のように平面状配線体が挿通された防水部材をハウジングに収容した状態を示す側断面図である。前述のとおり、図５においては、防水部材２のスリット５に平面状配線体１が挿通された状態における隙間６の存在が許容されるが、図６に示されるように防水部材２がハウジング３に収容された状態では、図３（ハ）に示されたものと同様に、防水部材２が平面状配線体１の外周に密着し、隙間６は存在しなくなる。このことにより、平面状配線体１の防水性能が満足される。
【００３０】
以上、本発明の平面状配線体の防水構造について説明したが、本発明の平面状配線体の防水構造については、好適な形成方法がある。以下、その実施形態について説明する。
【００３１】
本発明の実施形態である平面状配線体の防水構造の形成方法は、具体的には図２または図４に例示されている防水部材を用いて、図１または図６に例示された平面状配線体の防水構造を形成する方法である。以下、図１ないし図６に示された符号を用いて説明する。
【００３２】
ここで、本実施形態の特徴は、防水部材２を平面状配線体１に取り付ける工程にあって、防水部材２については、そのスリット５に平面状配線体１が挿通されていない状態で、スリット５の幅が平面状配線体１の幅より狭く形成されているとともにスリット５の高さが平面状配線体１の厚さより高くなるように形成されていることである。
【００３３】
また、防水部材２を平面状配線体１に取り付けるに際し、防水部材２のスリット５の幅を平面状配線体１の幅以上にした状態でスリット５に平面状配線体１を挿通することも本実施形態の特徴となっている。
【００３４】
そして、しかる後に防水部材２をハウジング３に収容して防水部材２を平面状配線体１の外周に密着させることにより、平面状配線体の防水構造を形成することができる。以下、本実施形態の具体例を挙げて説明する。
【００３５】
図７は、本発明の実施形態である平面状配線体の防水構造の形成方法を実現するための防水部材取付装置の一例を概略的に示す説明図である。なお、図７において、図４に示された防水部材を用いて説明するが、防水部材の形状については図４に示されたものに限られず、適宜変更しても差し支えない。
【００３６】
また、図８は、図７に例示された防水部材取付装置により平面状配線体に防水構造が形成される工程を概略的に説明する断面図であって、（イ）は初期状態、（ロ）は防水部材が平面状配線体に取り付けられる直前の状態、（ハ）は防水部材が加圧により膨張している状態、（ニ）は防水部材が平面状配線体に取り付けられた状態をそれぞれ示す。
【００３７】
図７および図８において、７は防水部材２を平面状配線体１に取り付けるための防水部材取付装置であって、第１の箱状部７１と第２の箱状部７２とで構成される。そして、防水部材取付装置７の使用時には、第１の箱状部７１と第２の箱状部７２とは、防水部材２を介して連結される。
【００３８】
第１の箱状部７１には、平面状配線体１を導入する導入部７３が設けられている。第１の箱状部７１の内部には空間７１ａが設けられ、導入部７３の内部には空間７３ａが設けられ、空間７１ａと空間７３ａとは連通されている。また、第１の箱状部７１には空間７１ａに達する貫通孔７４が設けられている。一方、第２の箱状部７２の内部には空間７２ａが設けられている。
【００３９】
また、第１の箱状部７１と第２の箱状部７２とが防水部材２を介して連結される際には、空間７１ａ、空間７２ａ、空間７３ａは連通されることとなり、貫通孔７４から空気等の気体を空間７１ａへ送り込むことにより、空間７１ａ、７２ａ、７３ａ内および防水部材２内が加圧されて防水部材２のスリット５が拡張され、平面状配線体１をスリット５内に容易に挿通させることが可能となる。
【００４０】
なお、図７および図８において、導入部７３の入口（以下「導入部入口」とする）７５は、貫通孔７４から供給された気体が導入部７３内の空間７３ａから容易に抜けないような構造であること、例えば、導入部入口７５を気密構造とすることなどが望ましい。
【００４１】
上記のように、図７および図８に例示された防水部材取付装置７を用いた平面状配線体の防水構造の形成方法は、防水部材２のスリット５の幅を平面状配線体１の幅以上にした状態でスリット５に平面状配線体１を挿通させる際に、防水部材２内の雰囲気を加圧してスリット５の幅を平面状配線体１の幅以上に拡張するものである。以下、図７に例示された防水部材取付装置７を用いた平面状配線体の防水構造の形成方法のステップを、図８（イ）〜（ニ）を参照して説明する。
【００４２】
ステップ１：図８（イ）に示されるように、第１の箱状部７１と第２の箱状部７２とを対向させ、第２の箱状部７２に防水部材２を取り付ける。また、第１の箱状部７１の導入部７３に平面状配線体１を挿通させる。
【００４３】
ステップ２：図８（ロ）に示されるように、第１の箱状部７１と第２の箱状部７２とを防水部材２を介して連結し、防水部材取付装置７を組み立てる。なお、このステップまでは、防水部材２のスリット５の幅は、平面状配線体１の幅より狭くなっている。
【００４４】
ステップ３：図８（ハ）に示されるように、貫通孔７４から空気等の気体を空間７１ａへ送り込み、防水部材２内の雰囲気を加圧して防水部材２のスリット５の幅を平面状配線体１の幅以上に拡張させて、スリット５内に平面状配線体１を挿通させやすくする。
【００４５】
ステップ４：図８（ニ）に示されるように、防水部材２のスリット５を拡張させた状態のままで平面状配線体１を挿通させる。
【００４６】
ステップ５：空間７１ａ、７２ａ、７３ａ内の圧力をほぼ大気圧に戻し、その後防水部材取付装置７を取り外す。
【００４７】
このように、本実施形態においては、上記５つのステップにより、平面状配線体に防水性能が十分な防水構造を簡単に施すことができる。
【００４８】
ここで、上記ステップ５において、防水部材取付装置７を取り外しやすくする観点から望ましい事項を挙げる。例えば、第１の箱状部７１および導入部７３については、それぞれ２つ以上に分割可能として平面状配線体１を挟み込むような構造とすることが望ましく、第２の箱状部７２については、空間７２ａ内の圧力をほぼ大気圧に戻すための貫通孔等（図示せず）を設けておくことが望ましい。
【００４９】
また、図７および図８に例示した防水部材取付装置７において、防水部材２内の雰囲気を加圧してスリット５の幅を平面状配線体１の幅以上に拡張する際に、スリット５の高さ方向への拡張を抑制する部材を防水部材２の外部に取り付けることが望ましい。以下に例を説明する。
【００５０】
図９は、本発明の実施形態である平面状配線体の防水構造の形成方法を実現するための防水部材取付装置に、防水部材のスリットの高さ方向への拡張を抑制する部材を取り付けた例を概略的に示す説明図である。図９において、８は防水部材２のスリット５の高さ方向への拡張を抑制する部材（以下、「整形部材」とする）である。
【００５１】
この整形部材８は、例えば防水部材２を挟んで上側の部材（以下、「上側部材」とする）８ａと下側の部材（以下、「下側部材」とする）８ｂにより構成され、図８に例示した防水部材取付装置７においては、第２の箱状部７２に設置され、上述のステップ３の開始前までに、上側部材８ａは防水部材２の上側に、下側部材８ｂは防水部材２の下側にそれぞれ配置される。
【００５２】
この整形部材８により、防水部材２内の雰囲気を加圧する際にスリット５の幅を平面状配線体１の幅以上に効率よく拡張することが可能となる。
【００５３】
以上、防水部材２内の雰囲気を加圧してスリット５の幅を平面状配線体１の幅以上に拡張した後にスリット５に平面状配線体１を挿通する方法について説明したが、本発明の実施形態の平面状配線体の防水構造の形成方法は上述のものには限られない。以下に例を説明する。
【００５４】
例えば、図９に示された整形部材８と類似する形状の部材を、防水部材２の外部に取り付けて防水部材２のスリット５の高さ方向に押圧することにより、防水部材２のスリット５の幅を拡張させて平面状配線体１の幅以上にした状態でスリット５に平面状配線体１を挿通することも可能である。
【００５５】
また、本実施形態の平面状配線体の防水構造の形成方法を実現するために、防水部材２の構造を最適化すること、平面状配線体１の先端部の構造を最適化することなども効果的である。以下に例を説明する。
【００５６】
図１０は、本発明の実施形態である平面状配線体の防水構造の形成方法に適した防水部材の一例を示す断面図であって、（イ）は初期状態、（ロ）は平面状配線体が挿通される直前の状態、（ハ）は平面状配線体が挿通された状態をそれぞれ示す。
【００５７】
図１０に例示された防水部材２において、内周面突起２３は、実質的に防水部材２のスリット５の高さのみを規定するように形成されている。このように内周面突起２３を形成することで、スリット５に平面状配線体１を挿通する際に内周面突起２３の一部に必要以上の応力がかかることを防止することができる。
【００５８】
図１１は、本発明の実施形態である平面状配線体の防水構造の形成方法に適した平面状配線体の先端部の形状の一例を示す斜視図である。図１１において、平面状配線体１の先端部には面取り部１１が形成されている。このように、あらかじめ先端部が加工された平面状配線体１を用いることで、防水部材２のスリット５に平面状配線体１を挿通する際に内周面突起２３の一部に必要以上の応力がかかることを防止することができる。
【００５９】
なお、図１１に示される面取り部１１を有する平面状配線体１を用いる場合、防水部材２のスリット５の幅と平面状配線体１の幅との関係は、防水部材２のスリット５に平面状配線体１が挿通されていない状態で、スリット５の幅が平面状配線体１のうち面取り部１１が形成されていない部分の幅より狭ければよく、防水部材２のスリット５に平面状配線体１を挿通する際には、スリット５の幅が平面状配線体の面取り部１１が形成された箇所の幅以上であればよい。よって、面取り部１１の形状によっては、スリット５の幅を拡張させることなくスリット５に平面状配線体１を挿通させることもできる。
【００６０】
このように、本発明は、上述のような実施形態をとりうるが、これらはあくまでも一例であって、本発明の実施形態は、特許請求の範囲に記載された事項の範囲内で種々の変更を許容することが可能であり、上述の事項に限定されることがないことはいうまでもない。
【００６１】
【発明の効果】
以上のとおり、本発明によれば、平面状配線体の外周に防水部材が取り付けられるとともに該防水部材がハウジングに収容されてなる平面状配線体の防水構造において、前記防水部材はゴム状の弾性材料により形成されるとともに前記平面状配線体が挿通されるスリットを有し、前記防水部材は、該防水部材の前記スリットに前記平面状配線体が挿通されていない状態で、前記スリットの幅が前記平面状配線体の幅より狭く形成されているとともに前記スリットの高さが前記平面状配線体の厚さより高くなるように形成されており、前記防水部材が前記ハウジングに収容された状態で、前記防水部材が前記平面状配線体の外周に密着しているため、平面状配線体に防水部材を簡単に取り付けることが可能で、かつ防水性能が十分な防水構造となる。
【００６２】
また、本発明において、前記ハウジングの内部空間の高さは、前記スリットに前記平面状配線体が挿通された状態の前記防水部材の高さより低く、かつ前記ハウジングの内部空間の断面積は、前記スリットに前記平面状配線体が挿通された状態の前記防水部材の断面積の８０％以上１００％未満である場合には、防水性能がさらに向上した防水構造となる。
【００６３】
また、本発明の平面状配線体の防水構造の形成方法は、防水部材のスリットに平面状配線体が挿通されていない状態で、スリットの幅が平面状配線体の幅より狭く形成されているとともにスリットの高さが平面状配線体の厚さより高くなるように形成され、また、防水部材２を平面状配線体１に取り付けるに際し、防水部材２のスリット５の幅を平面状配線体１の幅以上にした状態でスリット５に平面状配線体１を挿通するため、平面状配線体に防水性能が十分な防水構造を簡単に施すことができる。
【図面の簡単な説明】
【図１】本発明の実施形態である平面状配線体の防水構造の基本的一例を概略的に示す側断面図である。
【図２】平面状配線体に防水部材を取り付ける工程を説明するための図であって、（イ）は防水部材の正面図、（ロ）は平面状配線体の正面図、（ハ）は平面状配線体に防水部材が取り付けられた状態を示す正面図、（ニ）は平面状配線体に防水部材が取り付けられた状態を示す断面図である。
【図３】平面状配線体が挿通された防水部材をハウジングに収容する工程を説明するための図であって、（イ）は平面状配線体が挿通された防水部材の正面図、（ロ）はハウジングの正面図、（ハ）は防水部材がハウジングに収容された状態を示す正面図である。
【図４】本発明の実施形態に用いられる防水部材の応用例の一例を示す図であって、（イ）は側面図、（ロ）は正面図、（ハ）は側断面図である。
【図５】図４の防水部材に平面状配線体が挿通された状態を示す側断面図である。
【図６】図５のように平面状配線体が挿通された防水部材をハウジングに収容した状態を示す側断面図である。
【図７】本発明の実施形態である平面状配線体の防水構造の形成方法を実現するための防水部材取付装置の一例を概略的に示す説明図である。
【図８】図７に例示された防水部材取付装置により平面状配線体に防水構造が形成される工程を概略的に説明する断面図であって、（イ）は初期状態、（ロ）は防水部材が平面状配線体に取り付けられる直前の状態、（ハ）は防水部材が加圧により膨張している状態、（ニ）は防水部材が平面状配線体に取り付けられた状態をそれぞれ示す。
【図９】本発明の実施形態である平面状配線体の防水構造の形成方法を実現するための防水部材取付装置に、防水部材のスリットの高さ方向への拡張を抑制する部材を取り付けた例を概略的に示す説明図である。
【図１０】本発明の実施形態である平面状配線体の防水構造の形成方法に適した防水部材の一例を示す断面図であって、（イ）は初期状態、（ロ）は平面状配線体が挿通される直前の状態、（ハ）は平面状配線体が挿通された状態をそれぞれ示す。
【図１１】本発明の実施形態である平面状配線体の防水構造の形成方法に適した平面状配線体の先端部の形状の一例を示す斜視図である。
【符号の説明】
１  平面状配線体
２  防水部材
２ａ  面取り部
３  ハウジング
４  内部空間
５  スリット
６  隙間
７  防水部材取付装置
８  整形部材
８ａ  上側部材
８ｂ  下側部材
１１  面取り部
２１  本体部
２１ａ  本体部外表面
２１ｂ  本体部内表面
２２  外周面突起
２３  内周面突起
７１  第１の箱状部
７２  第２の箱状部
７３  導入部
７４  貫通孔
７５  導入部入口
７１ａ、７２ａ、７３ａ  空間
【図１】
2004273410.tif 000003
【図２】
2004273410.tif 000004
【図３】
2004273410.tif 000005
【図４】
2004273410.tif 000006
【図５】
2004273410.tif 000007
【図６】
2004273410.tif 000008
【図７】
2004273410.tif 000009
【図８】
2004273410.tif 000010
【図９】
2004273410.tif 000011
【図１０】
2004273410.tif 000012
【図１１】
2004273410.tif 000013